(57)【要約】【課題】  統制局において、各移動局から受信した位置情報によって、各移動局の圏内／圏外の情報、及び圏内の移動局の位置情報を確認可能な無線通信システムを提供する。【解決手段】  統制局１は、基地局１２〜１４において網番号の免許人固有定義領域を変化させて網番号を更新させ、その網番号が付加された報知情報を基地局１２〜１４から移動局３−１，３−２に送信する。移動局３−１，３−２は基地局１２〜１４からの報知情報の網番号において免許人固有定義領域の変化を検出すると、ＧＰＳ衛星２から取得した位置情報を位置登録要求信号に付加して送信する。統制局１では、基地局１２〜１４が受信した位置登録要求信号から位置情報を取出し、その位置情報から各移動局３−１，３−２の圏内／圏外の情報、及び圏内の移動局３−１，３−２の位置情報を確認する。【選択図】      図１
2008154120.tif 000002
【特許請求の範囲】
【請求項１】
回線制御装置と複数の基地局からなる統制局と、複数の移動局とから構成される無線通信システムであって、
前記基地局は、前記移動局に送信する報知情報の網番号を更新して前記移動局に位置登録要求信号の送信を促す手段を有し、
前記移動局は、前記報知情報の網番号の更新を検出する手段と、自局の位置情報をＧＰＳ（Ｇｌｏｂａｌ  Ｐｏｓｉｔｉｏｎｉｎｇ  Ｓｙｓｔｅｍ）から取得する手段と、前記報知情報の網番号の更新を検出した時に前記位置登録要求信号に前記ＧＰＳから取得した位置情報を付与して送信する手段とを有し、
前記統制局は、前記移動局からの位置登録要求信号に付与された位置情報を基に前記移動局の位置を管理する手段を有することを特徴とする無線通信システム。
【請求項２】
前記基地局は、前記報知情報の網番号の免許人固有定義領域を変化させて前記網番号を更新することを特徴とする請求項１記載の無線通信システム。
【請求項３】
前記統制局は、前記複数の移動局各々から受信した位置登録要求信号に付与された位置情報によって前記移動局各々の圏内／圏外情報及び圏内の移動局の位置情報を確認可能としたことを特徴とする請求項１または請求項２記載の無線通信システム。
【請求項４】
回線制御装置と複数の基地局からなる統制局と、複数の移動局とから構成される無線通信システムにおいて前記統制局を構成する基地局であって、
前記移動局に送信する報知情報の網番号を更新して前記移動局にＧＰＳ（Ｇｌｏｂａｌ  Ｐｏｓｉｔｉｏｎｉｎｇ  Ｓｙｓｔｅｍ）から取得した位置情報を付与した位置登録要求信号の送信を促す手段を有することを特徴とする基地局。
【請求項５】
前記報知情報の網番号の免許人固有定義領域を変化させて前記網番号を更新することを特徴とする請求項４記載の基地局。
【請求項６】
回線制御装置と複数の基地局からなる統制局とともに無線通信システムを構成する移動局であって、
前記移動局は、前記基地局からの報知情報の網番号の更新を検出する手段と、自局の位置情報をＧＰＳ（Ｇｌｏｂａｌ  Ｐｏｓｉｔｉｏｎｉｎｇ  Ｓｙｓｔｅｍ）から取得する手段と、前記報知情報の網番号の更新を検出した時に位置登録要求信号に前記ＧＰＳから取得した位置情報を付与して前記基地局に送信する手段とを有することを特徴とする移動局。
【請求項７】
前記報知情報の網番号の免許人固有定義領域の変化を検出した時に前記網番号の更新と判定することを特徴とする請求項６記載の移動局。
【請求項８】
回線制御装置と複数の基地局からなる統制局と、複数の移動局とから構成される無線通信システムに用いる位置情報受信方法であって、
前記基地局が、前記移動局に送信する報知情報の網番号を更新して前記移動局に位置登録要求信号の送信を促し、
前記移動局が、前記報知情報の網番号の更新を検出した時に、ＧＰＳ（Ｇｌｏｂａｌ  Ｐｏｓｉｔｉｏｎｉｎｇ  Ｓｙｓｔｅｍ）から取得した自局の位置情報を前記位置登録要求信号に付与して送信し、
前記統制局が、前記移動局からの位置登録要求信号に付与された位置情報を基に前記移動局の位置を管理することを特徴とする位置情報受信方法。
【請求項９】
前記基地局が、前記報知情報の網番号の免許人固有定義領域を変化させて前記網番号を更新することを特徴とする請求項８記載の位置情報受信方法。
【請求項１０】
前記統制局が、前記複数の移動局各々から受信した位置登録要求信号に付与された位置情報によって前記移動局各々の圏内／圏外情報及び圏内の移動局の位置情報を確認可能としたことを特徴とする請求項８または請求項９記載の位置情報受信方法。
【発明の詳細な説明】
【技術分野】
【０００１】
本発明は無線通信システム、基地局、移動局及びそれらに用いる位置情報受信方法に関し、特に無線通信システムを構成する移動局による統制局への位置情報の通知に関する。
【背景技術】
【０００２】
従来、上記の無線通信システムとしては、地域防災無線システムが知られている（例えば、特許文献１，２参照）。この地域防災無線システムでは、統制局が複数の移動局から在圏位置情報を取得し、その在圏位置情報を基に防災放送を行うこと等の処理が行われている。
【０００３】
上記の移動局においては、電源がオンされた場合、別の基地局エリアに移動して、網番号に含まれる基地局番号が変わった場合、報知情報の周期的位置登録にて通知されたタイマが満了になった場合の３つの場合に、位置登録要求を送信して統制局に自局の所属する基地局エリアを通知している。
【０００４】
【特許文献１】特開２００４−２０６３６６号公報
【特許文献２】特開２００２−１７１５６３号公報
【発明の開示】
【発明が解決しようとする課題】
【０００５】
しかしながら、上述した従来の位置登録では、リアルタイムで各移動局の所属エリアを確認することができず、また、各移動局がエリア内のどの場所にいるのかを特定することができないという問題がある。
【０００６】
そこで、本発明の目的は上記の問題点を解消し、統制局において、各移動局から受信した位置情報によって、各移動局の圏内／圏外の情報、及び圏内の移動局の位置情報を確認することができる無線通信システム、基地局、移動局及びそれらに用いる位置情報受信方法を提供することにある。
【課題を解決するための手段】
【０００７】
本発明による無線通信システムは、回線制御装置と複数の基地局からなる統制局と、複数の移動局とから構成される無線通信システムであって、
前記基地局は、前記移動局に送信する報知情報の網番号を更新して前記移動局に位置登録要求信号の送信を促す手段を備え、
前記移動局は、前記報知情報の網番号の更新を検出する手段と、自局の位置情報をＧＰＳ（Ｇｌｏｂａｌ  Ｐｏｓｉｔｉｏｎｉｎｇ  Ｓｙｓｔｅｍ）から取得する手段と、前記報知情報の網番号の更新を検出した時に前記位置登録要求信号に前記ＧＰＳから取得した位置情報を付与して送信する手段とを備え、
前記統制局は、前記移動局からの位置登録要求信号に付与された位置情報を基に前記移動局の位置を管理する手段を備えている。
【０００８】
本発明による基地局は、回線制御装置と複数の基地局からなる統制局と、複数の移動局とから構成される無線通信システムにおいて前記統制局を構成する基地局であって、
前記移動局に送信する報知情報の網番号を更新して前記移動局にＧＰＳ（Ｇｌｏｂａｌ  Ｐｏｓｉｔｉｏｎｉｎｇ  Ｓｙｓｔｅｍ）から取得した位置情報を付与した位置登録要求信号の送信を促す手段を備えている。
【０００９】
本発明による移動局は、回線制御装置と複数の基地局からなる統制局とともに無線通信システムを構成する移動局であって、
前記移動局は、前記基地局からの報知情報の網番号の更新を検出する手段と、自局の位置情報をＧＰＳ（Ｇｌｏｂａｌ  Ｐｏｓｉｔｉｏｎｉｎｇ  Ｓｙｓｔｅｍ）から取得する手段と、前記報知情報の網番号の更新を検出した時に位置登録要求信号に前記ＧＰＳから取得した位置情報を付与して前記基地局に送信する手段とを備えている。
【００１０】
本発明による位置情報受信方法は、回線制御装置と複数の基地局からなる統制局と、複数の移動局とから構成される無線通信システムに用いる位置情報受信方法であって、
前記基地局が、前記移動局に送信する報知情報の網番号を更新して前記移動局に位置登録要求信号の送信を促し、
前記移動局が、前記報知情報の網番号の更新を検出した時に、ＧＰＳ（Ｇｌｏｂａｌ  Ｐｏｓｉｔｉｏｎｉｎｇ  Ｓｙｓｔｅｍ）から取得した自局の位置情報を前記位置登録要求信号に付与して送信し、
前記統制局が、前記移動局からの位置登録要求信号に付与された位置情報を基に前記移動局の位置を管理している。
【００１１】
すなわち、本発明の無線通信システムは、回線制御装置と複数の基地局とからなる統制局と、複数の移動局とから構成され、移動局と統制局、及び基地局を介した移動局相互が通信を行っている。
【００１２】
本発明の無線通信システムでは、上記の構成において、基地局から送信される報知情報の網番号を更新することによって、移動局が位置登録要求を送信する際、位置登録要求信号にＧＰＳ（Ｇｌｏｂａｌ  Ｐｏｓｉｔｉｏｎｉｎｇ  Ｓｙｓｔｅｍ）から取得した位置情報を付与し、統制局にて移動局の位置情報を管理している。
【００１３】
本発明の無線通信システムでは、網番号の免許人固有定義領域を変化させることによって網番号を更新させ、移動局に位置登録要求を送信させる。この時、移動局は、免許人固有定義領域が変化していることによって、送信する位置登録要求信号にＧＰＳから取得した位置情報を付与する。統制局では、各移動局から受信した位置情報によって、各移動局の圏内／圏外の情報、及び圏内の移動局の位置情報を確認することが可能となる。
【発明の効果】
【００１４】
本発明は、上記のような構成及び動作とすることで、統制局において、各移動局から受信した位置情報によって、各移動局の圏内／圏外の情報、及び圏内の移動局の位置情報を確認することができるという効果が得られる。
【発明を実施するための最良の形態】
【００１５】
次に、本発明の実施例について図面を参照して説明する。図１は本発明の一実施例による無線通信システムの構成を示すブロック図である。図１において、本発明の一実施例による無線通信システムは、回線制御装置１１と複数の基地局１２〜１４とからなる統制局１と、ＧＰＳ（Ｇｌｏｂａｌ  Ｐｏｓｉｔｉｏｎｉｎｇ  Ｓｙｓｔｅｍ）衛星２と、複数の移動局３−１，３−２とから構成され、移動局３−１，３−２と統制局１、及び基地局１２〜１４を介した移動局３−１，３−２相互が通信を行っている。
【００１６】
本発明の一実施例による無線通信システムでは、上記の構成において、基地局１２〜１４から移動局３−１，３−２に送信される報知情報の網番号を更新することによって、移動局３−１，３−２が位置登録要求を送信する際、位置登録要求信号に移動局３−１，３−２がＧＰＳ衛星２から取得した位置情報を付与し、統制局１にて移動局３−１，３−２の位置情報を管理している。
【００１７】
図２は図１の基地局１２の構成例を示すブロック図である。図２において、基地局１２は、アンテナ１２１と、無線通信部１２２と、制御部１２３と、メモリ１２４とから構成され、制御部１２３は移動局３−１，３−２に送信する報知情報を生成する報知情報生成部１２３１と、移動局３−１，３−２からの位置登録要求信号を解析してＧＰＳ位置情報を取出す位置登録要求信号解析部１２３２とを備えている。尚、他の基地局１３，１４は上記の基地局１２と同様の構成となっている。
【００１８】
図３は図１の移動局３−１，３−２の構成例を示すブロック図である。図３において、移動局３はアンテナ３１と、無線通信部３２と、制御部３３と、メモリ３４と、ＧＰＳ位置情報取得部３５と、ＧＰＳ用アンテナ３６と、表示部３７と、音声入出力部３８と、操作部３９とから構成されている。
【００１９】
制御部３３は基地局１２〜１４からの報知情報の網番号の更新を検出する報知情報網番号更新検出部３３１と、報知情報の網番号の更新が検出された時にＧＰＳ位置情報取得部３５にて取得したＧＰＳ位置情報を付加した位置登録要求信号を生成する位置登録要求信号生成部３３２とを備えている。尚、移動局３−１，３−２は上記の移動局３と同様の構成となっている。
【００２０】
図４は本発明の一実施例において基地局１２〜１４から移動局３−１，３−２に送信される報知情報の網番号を示す図である。図４において、報知情報の網番号は、免許人固有定義領域、製造者番号、制御ゾーン番号、基地局番号、システムコードからなっている。
【００２１】
ここで、報知情報の網番号については、ＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ  ｏｆ  Ｊａｐａｎ）  ＳＴＤ  Ｔ−７９に定義されており、
【００２２】
図５は本発明の一実施例による無線通信システムの動作を示すシーケンスチャートである。これら図１〜図５を参照して本発明の一実施例による無線通信システムの動作について説明する。尚、図５においては、統制局１と移動局３−１との間の信号の授受のみを図示しているが、統制局１と移動局３−１とは基地局１２〜１４を介して通信を行っているものとする。
【００２３】
統制局１はリアルタイムで各移動局３−１，３−２の所属エリアを確認する場合、あるいは各移動局３−１，３−２が基地局１２〜１４が管理するエリア内のどの場所にいるのかを特定する場合、基地局１２〜１４において網番号の免許人固有定義領域を変化させることによって網番号を更新させ（図５のａ１）、その網番号が付加された報知情報を基地局１２〜１４から移動局３−１，３−２に送信する（図５のａ２）。
【００２４】
移動局３−１，３−２は基地局１２〜１４から送られてきた報知情報を受信し、その報知情報の網番号において免許人固有定義領域の変化を検出すると（図５のａ３）、ＧＰＳ衛星２から取得した位置情報を位置登録要求信号に付加して統制局１に送信する（図５のａ４〜ａ６）。
【００２５】
統制局１では、基地局１２〜１４が各移動局３−１，３−２から受信した位置登録要求信号から位置情報を取出し、その位置情報から各移動局３−１，３−２の圏内／圏外の情報、及び圏内の移動局３−１，３−２の位置情報を確認する（図５のａ７）。
【００２６】
このように、本実施例では、移動局１が、リアルタイムで各移動局３−１，３−２の所属エリアを確認する場合、あるいは各移動局３−１，３−２が基地局１２〜１４が管理するエリア内のどの場所にいるのかを特定する場合に、免許人固有定義領域を変化させて移動局３−１，３−２に位置登録要求信号を送信させ、その位置登録要求信号に移動局３−１，３−２がＧＰＳ衛星２から取得した位置情報を付与させることで、統制局１が各移動局３−１，３−２から受信した位置情報によって、各移動局３−１，３−２の圏内／圏外の情報、及び圏内の移動局３−１，３−２の位置情報を確認することができる。
【図面の簡単な説明】
【００２７】
【図１】本発明の一実施例による無線通信システムの構成を示すブロック図である。
【図２】本発明の一実施例において基地局から移動局に送信される報知情報の網番号を示す図である。
【図３】本発明の一実施例による無線通信システムの動作を示すシーケンスチャートである。
【図４】本発明の一実施例において基地局から移動局に送信される報知情報の網番号を示す図である。
【図５】本発明の一実施例による無線通信システムの動作を示すシーケンスチャートである。
【符号の説明】
【００２８】
１  統制局
２  ＧＰＳ衛星
３，３−１，３−２  移動局
１１  回線制御装置
１２〜１４  基地局
３１，１２１  アンテナ
３２，１２２  無線通信部
３３，１２３  制御部
３４，１２４  メモリ
３５  ＧＰＳ位置情報取得部
３６  ＧＰＳ用アンテナ
３７  表示部
３８  音声入出力部
３９  操作部
３３１  報知情報網番号更新検出部
３３２  位置登録要求信号生成部
１２３１  報知情報生成部
１２３２  位置登録要求信号解析部
【図１】
2008154120.tif 000003
【図２】
2008154120.tif 000004
【図３】
2008154120.tif 000005
【図４】
2008154120.tif 000006
【図５】
2008154120.tif 000007